(57)【要約】【課題】折曲運動する第１関節部と第２関節部に理想的な状態でフィットさせる。【解決手段】手袋は、前述の目的を達成するために以下の構成を備える。本発明の手袋は、人差し指と中指と薬指と小指からなる４本の指部を、甲側シート１と掌側シート２とをマチシート３を介して縫着している。掌側シート２は、マチシート３との縫着縁に、人差指と中指と薬指と小指からなる４本指の第１関節部及び第２関節部に対応する位置に凹部５を設けている。【選択図】図２
2006291400.tif 000002
【特許請求の範囲】
【請求項１】
人差し指と中指と薬指と小指からなる４本の指部が、甲側シート(1)と掌側シート(2)とをマチシート(3)を介して縫着している手袋であって、
掌側シート(2)は、マチシート(3)との縫着縁に、人差指と中指と薬指と小指からなる４本指の第１関節部及び第２関節部に対応する位置に凹部(5)を設け、この掌側シート(2)の縫着縁に、掌側シート(2)よりも伸びやすいマチシート(3)を縫着し、掌側シート(2)の凹部(5)でもって、４本指の第１関節部と第２関節部に細く絞った絞り部(6)を設けている手袋。
【請求項２】
人差し指と中指と薬指と小指からなる４本の指部が、甲側シート(1)と掌側シート(2)とをマチシート(3)を介して縫着している手袋であって、
掌側シート(2)は、マチシート(3)との縫着縁に、人差指と中指と薬指と小指からなる４本指の第１関節部及び第２関節部に対応する位置に凹部(5)を設け、この掌側シート(2)の縫着縁に、マチシート(3)を介して掌側シート(2)よりも伸びやすい甲側シート(1)を縫着して、掌側シート(2)の凹部(5)でもって、４本指の第１関節部と第２関節部に細く絞った絞り部(6)を設けている手袋。
【請求項３】
人差し指と中指と薬指と小指からなる４本の指部が、甲側シート(1)と掌側シート(2)とをマチシート(3)を介して縫着している手袋であって、
掌側シート(2)は、マチシート(3)との縫着縁に、人差指と中指と薬指と小指からなる４本指の第１関節部及び第２関節部に対応する位置に凹部(5)を設け、この掌側シート(2)の縫着縁に、掌側シート(2)よりも伸びやすいマチシート(3)を介して、掌側シート(2)よりも伸びやすい甲側シート(1)を縫着し、掌側シート(2)の凹部(5)でもって、４本指の第１関節部と第２関節部に細く絞った絞り部(6)を設けている手袋。
【請求項４】
スポーツ用の手袋である請求項１ないし３のいずれかに記載される手袋。
【請求項５】
人差指の片側縁と、中指の両側縁と、薬指の両側縁と、小指の片側縁の掌側シート(2)に凹部(5)を設けて、４本指の第１関節部と第２関節部に絞り部(6)を設けている請求項４に記載される手袋。
【発明の詳細な説明】
【技術分野】
【０００１】
本発明は、指によくフィットする手袋に関し、とくにスポーツ用に最適な手袋に関する。
【背景技術】
【０００２】
ゴルフ等のスポーツに使用する手袋は、手にフィットすることが大切である。とくに、指の関節を折曲する状態においても、指によくフィットすることが大切でいる。このことを実現する手袋とし、指部の一部を細くし、あるいは一部を伸縮性の生地で製作している手袋が開発されている（特許文献１ないし４参照）。
【特許文献１】特開２００５−４２２４８号公報
【特許文献２】特開平８−１３１６０２号公報
【特許文献３】特開２０００−２７１２６１号公報
【特許文献４】特開平１１−２００１２３号公報
【発明の開示】
【発明が解決しようとする課題】
【０００３】
特許文献１の手袋は、図１に示すように、本体シート２１と親指シート２２とを縫合している。親指シート２２は、親指の第１関節と第２関節の間にあるクビレに対応する部分を、伸縮可能なストレッチ材を介して、親指のクビレに対応して細くなるよう縫合している。さらに、この手袋は、親指シート２２を、甲側親指シート２３と掌側親指シート（図示せず）で構成している。甲側親指シート２３は、その外側周縁に、親指の第１関節と第２関節間の間に凹部２４を形成している。掌側親指シートは、その外側周縁に、甲側親指シート２３の外側周縁の凹部２４に対応する位置に、クビレ部の凹曲線より緩い凸曲線をもつ曲線部を形成している。甲側親指シート２３の周縁を、伸縮可能なストレッチ材２５を介して、本体シート２１と掌側親指シート周縁に縫合して、掌側親指シートの基端側であって、甲側親指シート２３と縫合しない部分を本体シート２１に縫合している。
【０００４】
この手袋は、手の親指をフィットできる。ただ、親指以外の指である、人差し指と中指と薬指と小指からなる４本指、すなわち５本の指の１本しかフィットできない。ゴルフや野球の手袋は、親指のみでなく４本指をフィットできることが大切である。また、この手袋は、親指を折曲させる状態では、必ずしも満足できるように親指をフィットできない。それは、一般的には柔軟なシートを使用する甲側親指シートの幅を、親指の第１関節部と第２関節部の間で狭くして親指にフィットさせるからである。ゴルフ等のスポーツ用の手袋は、フィット感を向上させるために、伸縮性のあるシートで製造される。伸縮シートは、柔軟になるほどやぶれ易くなる。とくに掌側シートを柔軟なシートとすると、破れやすくなる。掌側シートよりも甲側シートに柔軟なシートを使用する手袋は、掌側シートを強靭にして、やぶれ難くできる。ただ、柔軟な甲側シートは、これの幅を狭くしても伸びやすいので、親指のくびれ部を充分に締め付けする状態ではフィットできない。このため、この手袋は、４本指はいうに及ばず、親指をも理想的な状態にはフィットできない。
【０００５】
以上の手袋に対して、特許文献２は、先端を５本の指の形に分枝しているゴルフ用手袋を記載する。この手袋は、親指の第１関節と第２関節との間の甲側に相当する領域を、他の領域よりも伸縮性の高い弾性領域として、親指の第１関節と第２関節との間をより強固に緊締するようにしている。弾性領域は、親指の第１関節と第２関節との間の甲側に相当する領域に、ゴムを縫い付けたゴムシャーリング領域としている。
【０００６】
さらに、特許文献３の手袋は、ゴルフクラブや野球バットのグリップを握った時に、手甲部の特に伸張力の掛かる部分に、伸縮性生地を用いている。さらに、この手袋は、伸縮性生地の一部に重なるように過伸長防止部材を縫着している。過伸長防止部は、たとえば伸縮性生地の一部に重なるように手甲部に縫着された過伸長防止部材、伸縮性生地の一部を他の部分よりも低伸縮性（難伸縮性）にしたもの等である。
【０００７】
また、特許文献４の手袋は、爪先部分または指袋から手挿入口に向けて編み出して製作される。この手袋は、手の関節に対応する部分を、細目編地やゴム挿入細編地としている。細目編地やゴム挿入細編地は、他の標準編地よりも小さな度目で編成されている。さらに、ゴム挿入細編地にはゴム糸を主糸の給糸方向に沿って挿入している。この手袋は、手指に装着されて関節部分を曲げやすく、また使用時においては、指からズレにくい特徴がある。
【０００８】
特許文献２ないし４の手袋は、指の一部をゴム等で伸縮領域としている。特許文献２の手袋は、親指の第１関節部と第２関節部の間の甲側を伸縮領域とし、特許文献３の手袋は、甲部の伸長力が作用する部分を伸縮領域とし、さらに特許文献４の手袋は、爪先から手挿入部に向かって編組して製作されるもので、関節部分を細目編地やゴム挿入細編地としている。
【０００９】
これ等の手袋は、親指や甲側に、あるいは関節部分を伸縮性のある編地として手のフィット感を向上する。しかしながら、特許文献１の手袋と同じように、甲側シートの伸縮性で、あるいは指の全周をゴム挿入編地とするので、折曲運動する指の関節部分を理想的な状態ではフィットできない欠点がある。それは、柔軟な甲側シートの伸縮性で指にフィットさせるからである。
【００１０】
本発明は、以上の手袋の欠点を解消するために、甲側シートの伸縮性によらず、甲側シートやマチシートよりもしっかりして強靭なシートとする掌側シートの縫着縁に、４本指の第１関節部と第２関節部に相当して凹部を設け、この凹部によってしっかりした掌側シートでもって４本指の関節部分を細くしたもので、この独特の構造によって、折曲運動する４本指の関節部分に理想的な状態でフィットするようにしたものである。したがって、本発明の目的は、折曲運動する第１関節部と第２関節部に理想的な状態でフィットできる手袋を提供することにある。
【課題を解決するための手段】
【００１１】
本発明の手袋は、前述の目的を達成するために以下の構成を備える。本発明の手袋は、人差し指と中指と薬指と小指からなる４本の指部を、甲側シート１と掌側シート２とをマチシート３を介して縫着している。掌側シート２は、マチシート３との縫着縁に、人差指と中指と薬指と小指からなる４本指の第１関節部及び第２関節部に対応する位置に凹部５を設けている。
【００１２】
本発明の請求項１の手袋は、掌側シート２の縫着縁に、掌側シート２よりも伸びやすいマチシート３を縫着し、掌側シート２の凹部５でもって、４本指の第１関節部と第２関節部に細く絞った絞り部６を設けている。
【００１３】
さらに、本発明の請求項２の手袋は、掌側シート２の縫着縁に、マチシート３を介して掌側シート２よりも伸びやすい甲側シート１を縫着して、掌側シート２の凹部５でもって、４本指の第１関節部と第２関節部に細く絞った絞り部６を設けている。
【００１４】
さらに、本発明の請求項３の手袋は、掌側シート２の縫着縁に、掌側シート２よりも伸びやすいマチシート３を介して、掌側シート２よりも伸びやすい甲側シート１を縫着し、掌側シート２の凹部５でもって、４本指の第１関節部と第２関節部に細く絞った絞り部６を設けている。
【００１５】
本発明の手袋の掌側シート２は、その縫着縁に、４本指の第１関節部と第２関節部に位置して凹部５を設けている。４本指の第１関節部と第２関節部の位置は、手袋を着用するユーザーにより個人差がある。したがって、本明細書において、凹部５を設ける４本指の第１関節部と第２関節部とは、その近傍を含む広い意味に使用するものとする。
【００１６】
本発明の手袋は、好ましくは、スポーツ用の手袋とすることができる。さらに、本発明の手袋は、人差指の片側縁と、中指の両側縁と、薬指の両側縁と、小指の片側縁の掌側シート２に凹部５を設けて、４本指の第１関節部と第２関節部に絞り部６を設けることができる。
【発明の効果】
【００１７】
本発明の手袋は、折曲運動する第１関節部と第２関節部に、理想的な状態でフィットできる特長がある。それは、本発明の手袋が、人差し指と中指と薬指と小指からなる４本の指部を、甲側シートと掌側シートとをマチシートを介して縫着した構造としており、この掌側シートは、マチシートとの縫着縁であって、４本指の第１関節部及び第２関節部に対応する位置に凹部を設けると共に、掌側シートの縫着縁に、掌側シートよりも伸びやすいマチシートを縫着し、あるいはマチシートを介して掌側シートよりも伸びやすい甲側シートを縫着し、あるいはまた掌側シートよりも伸びやすいマチシートを介して、掌側シートよりも伸びやすい甲側シートを縫着し、掌側シートの凹部でもって、４本指の第１関節部と第２関節部に細く絞った絞り部を設けているからである。
【００１８】
本発明の手袋は、従来の手袋のように、甲側シートの伸縮性だけで関節部にフィットさせるのではなく、甲側シートやマチシートよりも伸びにくい強靭なシートである掌側シートの縫着縁に凹部を設け、この凹部によって掌側シートの４本指の関節部分の幅を狭くすることによって、４本指の関節部における折曲運動をスムーズにしている。この構造の手袋は、４本指の第１関節部と第２関節部が細くなって絞り部となるが、この絞り部は、伸び難い掌側シートの割合が少なくなって、掌側シートよりも伸び易いマチシートや甲側シートの割合が多くなるので、関節部を曲げやすくできる。したがって、本発明の手袋は、折曲運動する４本指の第１関節部と第２関節部に理想的な状態でフィットさせて、極めて快適に使用できる。
【発明を実施するための最良の形態】
【００１９】
以下、本発明の実施例を図面に基づいて説明する。ただし、以下に示す実施例は、本発明の技術思想を具体化するための手袋を例示するものであって、本発明は手袋を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図２と図３は、ゴルフ用の手袋を示す。以下にゴルフ用の手袋について詳述する。本発明の手袋は、４本指に理想的な状態でフィットする。とくに、関節を折曲運動させる状態で４本指の第１関節部と第２関節部に良くフィットする。したがって、ゴルフ、野球等のスポーツ用の手袋として最適である。ただ、本発明は、スポーツ以外の用途、たとえばアウトドア用、スキー用、ドライブ用等の手袋にも適している。
【００２２】
図の手袋は、人差し指と中指と薬指と小指からなる４本の指部を、掌側シート２と甲側シート１をマチシート３を介して縫着する構造としている。さらに、図の手袋は、親指シート４を、甲側シート１と掌側シート２に縫着して、４本指と親指とを設けている。掌側シート２の展開図を図４に、甲側シート１の展開図を図５に、親指シート４の展開図を図６に、マチシート３の展開図を図７にそれぞれ示している。
【００２３】
掌側シート２は、天然皮革又は人工皮革を裁断して製作される。とくに、ゴルフ用の手袋の掌側シート２は、天然皮革や人工皮革が適している。ただ、本発明の手袋は、掌側シート２に、皮革に代わって、生地、プラスチックシート、プラスチックをコーティングした生地等を裁断して使用することもできる。図４の展開図に示す掌側シート２は、上部に人差し指と中指と薬指と小指の掌部となる４本の指部を、手のひらの掌部となる本体部に連続する形状に裁断している。
【００２４】
さらに、掌側シート２は、マチシート３との縫着縁に、４本指の第１関節部及び第２関節部に対応する位置に凹部５を設けている。図の掌側シート２は、人差指の片側縁と、中指の両側縁と、薬指の両側縁と、小指の片側縁に凹部５を設け、この凹部５でもって、４本指の第１関節部と第２関節部に絞り部６を設けている。図の掌側シート２は、人差し指の掌側から甲側に延びるアーチ状突出部７を設けている。この手袋は、甲部と掌部の境界を掌側シート２として、この部分が破れるのを防止して耐久性を向上できる。とくに、ゴルフクラブを握る状態で、人差し指の甲部と掌部の境界部分の強度を向上できる。ただ、掌側シートの人差し指には、必ずしも突出部を設ける必要はなく、突出部を設けない形状とすることもできる。
【００２５】
凹部５は、４本指の第１関節部と第２関節部に、細く絞った絞り部６を設ける。絞り部６は、凹部５を深くするほど細くなる。４本指の絞り部６が細すぎると、ユーザーは４本の指をスムーズに挿入できなくなる。このため、凹部５の深さは、好ましくは２ｍｍ〜５ｍｍ、さらに好ましくは３ｍｍ〜４ｍｍとする。
【００２６】
手袋は、図示しないが、マチシートの縫着縁であって、凹部に縫着する部分に凸部を設け、この凸部を凹部に沿って縫着することができる。この手袋は、凹部で絞り部を細くし、凸部で絞り部を太くする。したがって、この手袋は、掌側シートの凹部の深さを、凸部の突出量よりも小さくして、マチシートの凸部を掌側シート２の凹部に縫着しても、絞り部ができるようにする。したがって、この手袋は、掌側シートの凹部の深さを、凸部のないマチシートを縫着するものよりも深く、たとえば３ｍｍ〜８ｍｍとする。
【００２７】
ただし、図に示す手袋は、図７に示すように、掌側シート２の縫着縁であって、凹部５に縫着する部分に凸部を設けておらず、マチシート３の両側縁を凸部のない滑らかな線に裁断している。この手袋は、凹部５のみで絞り部６を設けることができる。また、マチシート３に凸部を設けないので、凸部のあるマチシートに比較して、マチシート３を掌側シート２に簡単に縫着できる。
【００２８】
凹部５の幅は、絞り部６の指の縦方向の長さを特定する。凹部５の幅は約１ｃｍとする。ただし、凹部の幅は、５ｍｍ〜１５ｍｍとすることもできる。凹部５の幅は、狭すぎても反対に広すぎても、絞り部６の長さが適当でなくなって、４本指の関節部を好ましい状態でフィットできなくなる。したがって、凹部５の幅は、深さや４本指の第１関節部と第２関節部の位置によって変更しても、前述の範囲とする。
【００２９】
甲側シート１は、天然皮革や合成皮革を裁断して製造される。甲側シート１は、好ましくは、掌側シート２よりも柔軟で伸びやすい素材が選択される。甲側シート１を柔軟なシートとする手袋は、指を曲げるときに伸長して、スムーズに折曲できる。また、指を伸ばす状態で収縮してしわができない。ただ、本発明の手袋は、甲側シート１を必ずしも掌側シート２より伸びやすいシートとする必要はなく、たとえば、甲側シート１に、掌側シート２と同じものを使用することもできる。
【００３０】
図５の甲側シート１は、４本指を手の甲の本体部に連結する形状に裁断している。さらに、図の甲側シート１は、本体部の一部を切除し、切除部８に伸縮シート９を縫着している。この甲側シート１は、伸縮シート９で柔軟に伸びやすくできる。甲側シート１の４本指の両側の縫着縁をマチシート３に縫着する。図の甲側シート１は、縫着縁に凸部を設けることなく、縫着縁を直線に近いなめらかな線に沿って裁断している。図の手袋は、掌側シート２の人差し指にアーチ状突出部７を設けているので、甲側シート１はこの突出部７に沿うアーチ状凹部１０を設けている。
【００３１】
親指シート４は、甲側シート１と掌側シート２からなり、これを縫着して手袋の親指となる。親指シート４は、付根部を掌側シート２と甲側シート１の本体部に縫着している。親指シート４は、甲側シート１を掌側シート２よりも伸びやすくて柔軟なシートとする。親指シート４は、掌側シート２と甲側シート１に縫着される。
【００３２】
マチシート３は、掌側シート２よりも伸縮性があって伸びやすいシート、たとえば伸縮性のある生地が使用される。さらに、マチシート３は、好ましくは通気性のある生地が使用される。マチシート３を掌側シート２よりも伸びやすくて、通気性のある生地とする手袋は、ユーザーの指の太さをマチシート３の伸縮性で吸収する。このため、色々のユーザーの手に快適にフィットできる。また、マチシート３の通気性で蒸れを少なくできる。ただ、本発明の手袋は、マチシートを掌側シートと同じ伸縮性のシートとして、甲側シートを掌側シートよりも伸びやすい柔軟なシートとすることもできる。
【００３３】
マチシート３は、掌側シート２と甲側シート１の間に縫着される。マチシート３は、一方の縫着縁を掌側シート２に、他方の縫着縁を甲側シート１に縫着して、掌側シート２と甲側シート１を連結する。図の手袋は、３枚のマチシート３を４本指の掌側シート２と甲側シート１に縫着する。図５（ａ）のマチシート３は、小指と薬指の掌側シート２と甲側シート１に縫着される。このマチシート３は、図において左側を小指の掌側シート２と甲側シート１に、右側を薬指の掌側シート２と甲側シート１に縫着する。図５（ｂ）のマチシート３は、薬指と中指の掌側シート２と甲側シート１に縫着される。このマチシート３は、図において左側を薬指の掌側シート２と甲側シート１に、右側を中指の掌側シート２と甲側シート１に縫着する。図５（ｃ）のマチシート３は、中指と人差し指の掌側シート２と甲側シート１に縫着される。このマチシート３は、図において左側を中指の掌側シート２と甲側シート１に、右側を人差し指の掌側シート２と甲側シート１に縫着する。
【００３４】
図のマチシート３は、中央部から両端部に向かって次第に幅を狭くしている。人差し指と中指と薬指と小指からなる４本の指が、先端に向かって細くなっているからである。さらに図のマチシート３は、中央から先端に向かって湾曲する形状に裁断している。このマチシート３が縫着される４本指は、手の指に沿う立体形状に湾曲できる。
【００３５】
図のマチシート３は、両側縁の縫着縁に、掌側シート２の凹部５に対向する部分に、突出する凸部を設けていない。このマチシート３は、縫着縁を所定の曲率半径で湾曲するなめらかな曲線に切断している。このマチシート３を縫着する手袋は、掌側シート２の凹部５に沿って縫着されて、掌側シート２の凹部５に絞り部６を設けることができる。
【００３６】
以上の構造の手袋は、掌側シート２を、第１関節部と第２関節部において幅を狭くしているので、手袋の４本指の第１関節部と第２関節部は細く絞った絞り部６となるが、この絞り部６は、伸び難い掌側シート２の割合が少なくなって、掌側シート２よりも伸び易いマチシート３や甲側シート１の割合が多くなるので、関節部にフィットしながら曲げやすくなる。
【図面の簡単な説明】
【００３７】
【図１】従来の手袋の親指部分を示す平面図である。
【図２】本発明の一実施例にかかる手袋を掌側から見た斜視図である。
【図３】図２に示す手袋を甲側から見た斜視図である。
【図４】図２に示す手袋の掌側シートの展開図である。
【図５】図２に示す手袋の甲側シートの展開図である。
【図６】図２に示す手袋の親指シートの展開図である。
【図７】図２に示す手袋のマチシートの展開図である。
【符号の説明】
【００３８】
１…甲側シート
２…掌側シート
３…マチシート
４…親指シート
５…凹部
６…絞り部
７…突出部
８…切除部
９…伸縮シート
１０…凹部
２１…本体シート
２２…親指シート
２３…甲側親指シート
２４…凹部
２５…ストレッチ材
【図１】
2006291400.tif 000003
【図２】
2006291400.tif 000004
【図３】
2006291400.tif 000005
【図４】
2006291400.tif 000006
【図５】
2006291400.tif 000007
【図６】
2006291400.tif 000008
【図７】
2006291400.tif 000009